(57)【要約】  蓄圧タンク（２）またはボイラーに流入する液体熱媒体の流れ速度を減少するための流れ制御装置（１）であって、該流れ制御装置（１）は、内部のチューブ部材（５）と、外部の円筒部材（６）とから成り、該内部のチューブ部材（５）は、吸入開口部（８）と少なくとも一つの排出開口部（９）を有し、前記排出開口部を通って該内部のチューブ部材中からの液体熱媒体の流れを逸らせるための逸らせ手段（１０）が備えられ、前記排出開口部へ逸れる液体の流れが穴（１３）を通過する穴あき部材（１２）が備えられ、該外部の円筒部材（６）は、固体部分（１４）と穴あき部分（１５）とから成り、かつ、該外部の円筒部材の穴あき部分（１５）の方向にその中の穴（１６）を通って該蓄圧タンク（２）またはボイラーの中へ前記内部のチューブ部材からの液体熱媒体の流れを逸らすような位置であることを特徴とする流れ制御装置。【選択図】図４
2013545066.tif 000002
【特許請求の範囲】
【請求項１】
蓄圧タンクまたはボイラーに流入する液体熱媒体の流れ速度を減少するための暖房システム用の蓄圧タンクまたはボイラーにおける流れ制御装置であって、該流れ制御装置（１）は、内部の実質的なチューブ部材（５）と、前記内部のチューブ部材の少なくとも一部分（５ａ）を収容するための空間（７）を定める外部の実質的な円筒部材（６）から成り、該内部のチューブ部材（５）は、それの一端部（５ｃ）での蓄圧タンク（２）またはボイラーへ流入する液体熱媒体のための吸入開口部（８）とそれの側壁における少なくとも一つの排出開口部（９）と一体となって構成され、該排出開口部（９）における該内部のチューブ部材（５）中には、前記排出開口部を通って該内部のチューブ部材中からの液体の流れを逸らせるための逸らせ手段（１０）が備えられ、前記内部のチューブ部材（５）上には、少なくとも該排出開口部（９）を覆う穴あき部材（１２）であって、前記排出開口部へ逸れる液体の流れが前記穴あき部材の穴（１３）を通過するような穴あき部材が備えられ、該外部の円筒部材（６）は、固体部分（１４）と穴あき部分（１５）とから成り、かつ、該外部の円筒部材（６）は、該外部の円筒部材の穴あき部分（１５）の方向にその中の穴（１６）を通って該蓄圧タンク（２）またはボイラーの内側（２ａ，２ｂ，２ｃ）の中へ前記内部のチューブ部材からの液体熱媒体の流れを逸らすため、それの固体部分（１４）が実質的に該チューブ部材中の排出開口部と対向した位置となるように該内部のチューブ部材の周囲に配置されることを特徴とする流れ制御装置。
【請求項２】
該内部のチューブ部材（５）は、前記外部の円筒部材（６）の内側に同心円状に位置することを特徴とする請求項１に記載の流れ制御装置。
【請求項３】
該内部のチューブ部材（５）は、前記排出開口部（９）の大部分と一体となって構成され、かつ、逸らせ手段（１０）は、各排出開口部を通って該内部のチューブ部材中からの液体熱媒体の流れを逸らせるために各排出開口部（９）において該内部のチューブ部材（５）中に備えられることを特徴とする請求項１または２に記載の流れ制御装置。
【請求項４】
前記排出開口部（９）の大部分及び付随する逸らせ手段（１０）は、該内部のチューブ部材（５）の長手方向に互いに一列に備えられていることを特徴とする請求項３に記載の流れ制御装置。
【請求項５】
該内部のチューブ部材（５）は、該吸入開口部（８）と一体となる前記一端部（５ｃ）に対向する前記内部のチューブ部材の閉端部（５ｂ）で少なくとも一つの細長い排出開口部（１１）と一体となって更に構成されることを特徴とする請求項１乃至４のいずれかに記載の流れ制御装置。
【請求項６】
細長い排出開口部（１１）は、内部のチューブ部材（５）の側壁において、それの閉端部（５ｂ）が前記細長い排出開口部を通って該内部のチューブ部材中からの液体熱媒体の流れを逸らすように備えられていることを特徴とする請求項５に記載の流れ制御装置。
【請求項７】
該細長い排出開口部（１１）は、該内部のチューブ部材（５）の側壁において、そこでの他の全ての排出開口部（９）とともに一列に備えられていることを特徴とする請求項５または６に記載の流れ制御装置。
【請求項８】
該細長い排出開口部（１１）は、該内部のチューブ部材（５）の閉端部（５ｂ）の方向へ先細って構成されることを特徴とする請求項５乃至７のいずれかに記載の流れ制御装置。
【請求項９】
該逸らせ手段は、該排出開口部（９）で側壁から、かつ該内部のチューブ部材（５）の内側へ突き出る、舌部（１０）として構成されることを特徴とする請求項１乃至８のいずれかに記載の流れ制御装置。
【請求項１０】
該舌部（１０）は、該内部のチューブ部材（５）の内側へ突き出るように構成され、それに関連する例えば約４ｍｍの排出開口部（９）に対向した側壁と間隔を残すことを特徴とする請求項９に記載の流れ制御装置。
【請求項１１】
該舌部（１０）は、該排出開口部を備える際に内部の前記チューブ部材から三つの面で穿孔または切り取られ、かつ、そのときに該内部のチューブ部材中で四つ目の面に沿って内側に向けて曲げられた該内部のチューブ部材（５）の材料の細長い一片から構成されることを特徴とする請求項９または１０に記載の流れ制御装置。
【請求項１２】
該内部のチューブ部材の該穴あき部材は、網の目状の穴（１３）を有する網状部材（１２）であることを特徴とする請求項１乃至１１のいずれかに記載の流れ制御装置。
【請求項１３】
該網状部材（１２）は、該排出開口部（９，１１）と一体となって備えられている該内部のチューブ部材（５）を、それの長さに沿って取り囲むように構成されることを特徴とする請求項１２に記載の流れ制御装置。
【請求項１４】
該外部の円筒部材（６）の該穴あき部分は、網の目状の穴（１６）を有する網状部材（１５）であることを特徴とする請求項１乃至１３のいずれかに記載の流れ制御装置。
【請求項１５】
該外部の円筒部材（６）の該固体部分（１４）は、その外面の例えば約２００°により、または前記外部の円筒部材の端部（１４ａ，１４ｂ）により定められ、かつ、該穴あき部分（１５）は、該外部の円筒部材（６）の外面の例えば約１６０°により定められることを特徴とする請求項１乃至１４のいずれかに記載の流れ制御装置。
【請求項１６】
該外部の円筒部材（６）の一つの端部（１４ａ）は、該吸入開口部（８）と一体となって構成される該内部のチューブ部材（５）の端部（５ｃ）が前記外部の円筒部材から突き出たところを貫く開口部（１７）と一体となって構成されることを特徴とする請求項１５に記載の流れ制御装置。
【請求項１７】
該内部のチューブ部材（５）の該閉端部（５ｄ）は、前記外部の円筒部材の開口部（１７）と一体となる閉じられた前記端部（１４ａ）と対向する内部のチューブ部材（６）の端部（１４ｂ）を備えることにより定められることを特徴とする請求項１５に記載の流れ制御装置。
【請求項１８】
該内部のチューブ部材（５）の直径は、例えば該外部の円筒部材（６）の直径の約１／３という、実質的により小さい直径であることを特徴とする請求項１乃至１７のいずれかに記載の流れ制御装置。
【請求項１９】
請求項１乃至１８のいずれかによる流れ制御装置（１）を一つ以上含む暖房システム用の蓄圧タンク。
【請求項２０】
請求項１乃至１８のいずれかによる流れ制御装置（１）を一つ以上含む暖房システム用のボイラー。
【発明の詳細な説明】
【技術分野】
【０００１】
本発明は、暖房システム用の蓄圧タンクまたはボイラーに流入する液体熱媒体の流れ速度を減少するための該蓄圧タンクまたはボイラーにおける流れ制御装置に関する。
【背景技術】
【０００２】
暖房システム用の蓄圧タンクまたはボイラーが液体熱媒体を用いて一つまたはそれ以上の熱源に接続されているかどうかに拘わらず、該蓄圧タンクまたはボイラー内で前記一つまたはそれ以上の熱源からの該熱媒体の層形成が乱されないことは、多くの場合において重要である。最適な層形成は即ち、蓄圧タンクについての良い経済性と効率的な機能のための第一条件である。
【発明の概要】
【０００３】
従って、蓄圧タンクまたはボイラーにおいて該蓄圧タンクまたはボイラーに流入する液体熱媒体の流れ速度を減少できる流れ制御装置を提供し、それによって液体熱媒体の乱流が減少し、その結果として、一つまたはそれ以上の異なる熱源からの該熱媒体の層形成を改善することが本発明の目的である。
【０００４】
この目的は、前記のような流れ制御装置を提供する本発明によって達成され、該流れ制御装置は、内部の、実質的なチューブ部材と、外部の、前記内部のチューブ部材の少なくとも一部分を収容するための空間を定める実質的な円筒部材から成り、該内部のチューブ部材は、それの一端部での蓄圧タンクまたはボイラーへ流入する液体のための吸入開口部とそれの側壁における少なくとも一つの排出開口部と一体となって構成され、該排出開口部における該内部のチューブ部材中には、前記排出開口部を通って該内部のチューブ部材中からの液体の流れを逸らせるための逸らせ手段が備えられ、前記内部のチューブ部材上には、少なくとも該排出開口部を覆う穴あき部材であって、前記排出開口部へ逸れる液体の流れが前記穴あき部材の穴を通過するような穴あき部材が備えられ、該外部の円筒部材は、固体部分と穴あき部分とから成り、かつ、該外部の円筒部材は、該外部の円筒部材の穴あき部分の方向にその中の穴を通って該蓄圧タンクまたはボイラーの内側の中へ前記内部のチューブ部材からの液体熱媒体の流れを逸らすため、それの固体部分が実質的に該チューブ部材中の排出開口部と対向した位置となるように該内部のチューブ部材の周囲に配置される。
【０００５】
本発明を、さらに、単なる例として添付図面を参照して説明する。
【図面の簡単な説明】
【０００６】
【図１】図１は、本発明による流れ制御装置の概略斜視図である。
【図２】図２は、図１の流れ制御装置の斜視図における概略断面図である。
【図３】図３は、図１及び２の流れ制御装置の端面図である。
【図４】図４は、図３の流れ制御装置のＡ−Ａラインに沿った側断面図である。
【図５】図５は、図１乃至４による流れ制御装置の大部分を含む蓄圧タンクの概略断面図である。
【発明を実施するための形態】
【０００７】
図５から明らかなように、本発明による流れ制御装置１は、熱媒体としての液体を含む暖房システムのための蓄圧タンク２での使用に適応される。しかしながら、本発明による流れ制御装置１が液体熱媒体を含む一つまたはそれ以上の熱源に適した型のボイラーにおいて同様に使用されてもよいことは、強調されなければならない。従って、図で示した実施形態のように、蓄圧タンク２は、太陽熱収集器に関連して使用されてもよく、また、そのような例として、太陽熱収集器からの熱伝導のための例えば銅の内蔵コイル３が備えられている。蓄圧タンク２は、油、木、若しくはペレットを燃料とする熱源（熱ボイラー）と関連して、電気熱源と関連して、または熱ポンプ若しくはそれの組み合わせと関連して使用されてもよい。組み合わせた場合、蓄圧タンク２は多くの場合に、異なる熱源からの液体熱媒体を中に入れる蓄圧タンクの空間のいくつかの部分を分離する分離板４が備えられている。これは、互いに分離された異なる熱源からの液体熱媒体を維持、またはこの分離若しくは層形成を補助しようとするものである。なぜなら、前記熱媒体が蓄圧タンク２に達すると、それらは異なる温度を有するため、これらの温度の違いが生じさせる層形成を保持または補助することは望ましいことだからである。それ故、図で示した実施形態のように、コイル３が備えられた蓄圧タンク２の底の空間の一部分２ａがあってもよい。該タンクのこの部分の中に入れる液体熱媒体は、最低温度を有するからである。この部分２ａは、温水器１９に流れ込む水によって間接的に冷却される。コイル３を含む該部分２ａの上の空間の他の部分２ｂ及び２ｃは、より高い温度の液体を中に入れ、また、そのような各部分は、分離板４により他の部分と分離される。その中間の部分２ｂは、熱ポンプまたは他の熱源に向けたものである。この部分２ｂは、二つの流れ制御装置が備えられていてもよく、一方は暖房システムからの戻りの流れに接続され、また他方は、例えば熱ポンプからの温水に接続される。その上の部分２ｃは、前述の油、木、またはペレットを燃料とする熱源のような熱源に向けたものである。これらの熱源からの流入は、蓄圧タンク２の最上部で流れ制御装置に接続されてもよい。
【０００８】
前述の蓄圧タンク２は、一つより多くの熱源に接続されることに適しているが、前述のとおり、蓄圧タンクにおける該空間が一つだけの熱源に接続されることに適応できること、また、その結果として、一つのみ若しくは必要に応じてそれより多くの流れ制御装置１に備えることができることは明らかである。そのような蓄圧タンク２において、分離板４は不要である。
【０００９】
図５で示される単離された蓄圧タンク２は、例えば電気的接続、温度計、及び前述の温水器１９のような更なる部品から成るが、これらの部品は本発明の一部を形成しないので、それらはこれ以上ここで説明しない。
【００１０】
図５の蓄圧タンク２における各流れ制御装置１は、蓄圧タンクへ流れ込む液体熱媒体の流れ速度が減少されるように構成され、また、こうすることで、蓄圧タンクに入るときの液体熱媒体の乱流が減少し、またそれによって、そのときの一つ若しくはそれ以上の液体熱媒体の層形成が改善する。
【００１１】
図５の蓄圧タンク２における各流れ制御装置１は、図１乃至４で示されるように構成される。従って、流れ制御装置１は、内部の、実質的なチューブ部材５と、外部の、実質的な円筒部材６から成る。外部の円筒部材６は、内部のチューブ部材５の少なくとも一部分５ａを収容するための空間７を定める。図で示した実施形態において、内部のチューブ部材５の一部分５ｂは、外部の円筒部材６の外側に配置される。この部分５ｂの長さは、実質的に変えてもよい。それは、もし存在するならば、図で示した実施形態のように、内部のチューブ部材５の全長のほぼ半分を構成してもよく、あるいは、前記内部のチューブ部材の端部によってのみ形成されてもよい。図で示した実施形態において、内部のチューブ部材５は、外部の円筒部材６の内側に同心円状に位置し、またそれは、流れ制御装置１の目的とする作用のために、内部のチューブ部材の外側と外部の円筒部材の内側との間で、相対的に見て、十分な空間があるように、例えば外部の円筒部材６の直径の約１／３という、実質的により小さい直径を有する。
【００１２】
内部のチューブ部材５は、それの一端部５ｃで熱源から蓄圧タンク２へ（図４中の矢印Ａの方向に）流入する液体熱媒体のための吸入開口部８と一体となって構成される。図で示した実施形態において、外部の円筒部材６から突き出ているのは、吸入口８と一体となるこの端部５ｃである。内部のチューブ部材５は、更にそれの側壁における少なくとも一つの排出開口部９と一体となって構成される。該排出開口部における該内部のチューブ部材中には、前記排出開口部を通って該内部のチューブ部材中からの液体熱媒体の流れを（図４中の矢印Ｂの方向に）逸らせるための逸らせ手段１０が備えられている。一つの排出開口部９及び付随する逸らせ手段１０は、目的とする作用のためには十分かもしれないが、流れ制御装置１は、図で示した実施形態のように、排出開口部９の大部分と一体となる内部のチューブ部材５と、各排出開口部において該内部のチューブ部材中に備えられた前記排出開口部を通って該内部のチューブ部材中からの液体熱媒体の流れを逸らせるための逸らせ手段１０と、から成っていてもよい。図で示した実施形態（図２及び４）には、四つの排出開口部９と四つの逸らせ手段１０が備えられている。前記排出開口部９の大部分及び付随する逸らせ手段１０は、内部のチューブ部材５の長手方向に互いに一列に備えられている。しかしながら、もし必要であれば、排出開口部９及び付随する逸らせ手段１０は、別の方法、例えばジグザグ成形した流路が内部のチューブ部材５の中の逸らせ手段１０の間に形成されるように配置されてもよい。
【００１３】
各逸らせ手段は、図で示した実施形態において、排出開口部９で側壁から、かつ内部のチューブ部材５の内側へ突き出る、舌部１０として構成される。舌部１０は、内部のチューブ部材５の内側へ突き出るように構成され、それに関連する例えば約４ｍｍの排出開口部９に対向した側壁と間隔を残す。この間隔は、例えば該流れ制御装置及びその部材の外形寸法に基づいて変えてもよい。舌部１０の内部のチューブ部材５への突起の角度は、変えてもよい。舌部１０は、排出開口部９を備える際に前記内部のチューブ部材から三つの面で穿孔または切り取られ、かつ、そのときに該内部のチューブ部材中で四つ目の面に沿って内側に向けて曲げられた該内部のチューブ部材５の材料の細長い一片から構成される。排出開口部９に対する舌部１０の位置の修正は、それによって達成される。舌部１０とそれに関連する排出口９は、この図の実施形態において、実質的に同じ形状を有する。しかしながら、排出開口部９と舌部１０は異なる形状であってもよく、また、それらの形状若しくはそれのデザインは、流れ制御装置１の目的とする機能に基づいて適合される。更に、舌部１０は、穿孔または切り取るよりも適したその他の方法で、内部のチューブ部材５の内側の修正された位置に備えられまたは取り付けられてもよい。
【００１４】
内部のチューブ部材５は、吸入開口部８と一体となる前記一端部５ｃに対向する前記内部のチューブ部材の閉端部５ｂで、少なくとも一つの細長い排出開口部１１と一体となって更に構成されてもよい。細長い排出開口部１１は、内部のチューブ部材５の側壁において、それの閉端部５ｄが前記細長い排出開口部を通って該内部のチューブ部材中からの液体熱媒体の残りの流れを逸らすように備えられている。細長い排出開口部１１は、内部のチューブ部材５の側壁において、そこでの当該若しくは他の全ての排出開口部９とともに一列に備えられている。細長い排出開口部１１の望ましいどのような形状も可能であるとしても、前記細長い排出開口部は、図で示した実施形態において、前記内部のチューブ部材５の閉端部５ｂの方向へ先細って構成される。もし必要であれば、一つより多くの細長い排出開口部１１は、内部のチューブ部材５の閉端部５ｂに備えられていてもよい。細長い排出開口部１１の大きさもまた変えてよい。細長い排出開口部１１は、例えば、図で示した実施形態のように、内部のチューブ部材５の中の当該若しくは他の各全ての排出開口部９より長くしてもよい。
【００１５】
穴１３を有する穴あき部材１２は、内部のチューブ部材５の外側に備えられている。この穴あき部材１２は、内部のチューブ部材５において少なくとも排出開口部または開口部ら９の、あるいは、もし存在するならば、細長い排出開口部１１のカバーとなるように構成される。それによって、前記排出開口部または開口部ら９，１１を通って逸れる液体熱媒体の流れは、前記穴あき部材１２に備えられた穴１３を通過する。該穴あき部材は、図で示した実施形態において、網の目状の穴１３を有する網状部材１２であるが、前記液体熱媒体の流れ速度が減少されるように、液体熱媒体をそれの穴１３に通過させることができるその他のいかなる適した構造を有していても勿論よい。網状部材１２は、排出開口部９，１１と一体となって備えられている内部のチューブ部材５を、それの長さに沿って取り囲むように構成される。排出開口部９，１１は、外部の円筒部材６の内側に配置される内部のチューブ部材５の部分に全て含まれているので、前記外部の円筒部材の外側に配置される該内部のチューブ部材の部分を覆う必要はない。
【００１６】
流れ制御装置１の外部の円筒部材６は、穴を有しない固体部分１４と穴１６を有する穴あき部分１５とから成る。外部の円筒部材６は、それの固体部分１４が実質的に排出開口部または開口部ら９に、また、もし存在するならば、前記内部のチューブ部材中の細長い排出開口部１１に対向するように、内部のチューブ部材５の周囲に位置する。内部のチューブ部材に対する外部の円筒部材６のこの配置に伴って、前記内部のチューブ部材中からの該液体熱媒体の流れは、該外部の円筒部材の固体部分１４によって穴あき部分１５の方向に、蓄圧タンク２の内側２ａ，２ｂ，２ｃの中へ（図４中の矢印Ｃの方向に）それの穴１６を通って逸らされる。それによって、前記液体熱媒体の流れ速度は更に減少する。液体熱媒体が蓄圧タンク２に入るときに、それの温度変化に伴って、前記液体熱の流れが該蓄圧タンク内で乱流を何ら発生させない程、またその結果、一つ若しくはそれより多くの液体熱媒体の層形成に実質的に影響を与えない若しくは乱さない程、流れ速度はすぐに減少される。
【００１７】
外部の円筒部材６の該穴あき部分は、図で示した実施形態において、網の目状の穴１６を有する網状部材１５であるが、液体熱媒体をそれの穴１６に通過させることができるその他のいかなる適した構造を有していても勿論よい。
【００１８】
内部のチューブ部材５の中からの液体熱媒体の流れを外部の円筒部材６の穴あき部分１５の方向に最適に逸らすことを達成するために、または、前記液体熱媒体の速度を増加させることなく該穴あき部分における穴１６を通って流れるように液体熱媒体のための十分に広い領域を備えるためには、外部の円筒部材６の固体部分１４が、穴あき部分１５よりも広い該外部の円筒部材の周囲面の一部分、即ち、該外部の円筒部材の外面の例えば約２００°を構成する該外部の円筒部材の固体部分や、または、該外部の円筒部材の外面の例えば約１６０°の該穴あき部分を定める。外部の円筒部材６の固体部分１４は、端部１４ａ及び１４ｂからも成り、それによって、前記固体部分は、穴あき部分１５とともに、内部のチューブ部材５を収容するための空間７を定める。外部の円筒部材６の一つの端部１４ａは、吸入開口部８と一体となって構成される内部のチューブ部材５の端部５ｃが前記外部の円筒部材から突き出たところを貫く開口部１７と一体となって構成される。内部のチューブ部材５のこの端部５ｃは、適切な方法で前記開口部１７に取り外し可能に固定されてもよい。内部のチューブ部材５の閉端部５ｄは、前記外部の円筒部材の開口部１７と一体となる閉端部分としての前記端部１４ａと対向する内部のチューブ部材６の端部１４ｂを備えることにより定められてもよい。内部のチューブ部材５の閉端部５ｄは、前記チューブ部材の端壁５ｅによって定められてもよい。内部のチューブ部材５の前記閉端部５ｄは、そのとき開口部１８を貫いて突き出してもよく、また、外部の円筒部材６の中の該内部のチューブ部材の簡単な取り付け及び取り外しのための適切な方法で、そこで取り外し可能に固定されてもよい。外部の円筒部材６の固体部分１４の端部１４ａ，１４ｂは、流れ制御装置１の簡単な取り付け及び取り外しのために、前記固体部分１４の残りの部分１４ｃに取り外し可能に取り付けられてもよい。更に、図で示した実施形態のように、固体部分１４は、穴あき部分１５のためにその中の開口部１４ｄそれ自体が実質的に円筒状の形状を有している。
【００１９】
前記で明らかにした流れ制御装置１は、例えば、暖房システム用の蓄圧タンク２内の環境に耐えられる金属製または金属材料製である。しかしながら、その他の適した材料、例えば、暖房システム用の蓄圧タンク２内の環境にも耐えられるプラスチックまたはプラスチック材料で流れ制御装置１を製造することは同様に可能である。
【００２０】
再び強調されなければならないことは、本発明による流れ制御装置が、分離された蓄圧タンクだけでなく、暖房システムの部分を形成する様々な型のボイラーにおいても同様に使用されてよいということである。
【００２１】
本願発明による流れ制御装置が、発明の着想及び目的から逸脱することなく後の請求項の範囲内で変更されるかもしれないことは、当業者にとって自明であろう。従って、前述の流れ制御装置は、図で示されたのと異なる形状をした内部のチューブ部材及び外部の円筒部材から成っていてもよい。それ故、前記部材は、図中で示されたような円形である必要はなく、該流れ制御装置の目的とする作用を損なわないその他のいかなる適した形状を有していてもよい。前記内部のチューブ部材及び前記外部の円筒部材の相対的な大きさは、前述のまたは図中で示したものとは異なる。先に述べたとおり、排出開口部または開口部ら及び付随する逸らせ手段の形状及び配置は、細長い排出開口部または開口部らのと同様に、図で示されたまたは前述のものと異なっていてもよい。該流れ制御装置の外部の円筒部材の固体部分及び穴あき部分の相対的な大きさとデザインは、前述のまたは図中で示したものと異なっていてもよい。
【図１】
2013545066.tif 000003
【図２】
2013545066.tif 000004
【図３】
2013545066.tif 000005
【図４】
2013545066.tif 000006
【図５】
2013545066.tif 000007
【国際調査報告】
2013545066.tif 000008
2013545066.tif 000009
2013545066.tif 000010